(57)【要約】  本発明は、主に椅子の背もたれの上部で人の頭が当接する部分に設置される調節式頭部保持具に関し、「人体工学頭部形状凹部」を備え、前記凹部を人ごとに各々異なる頭の大きさ、頭形状、襟首体形などに適するように調節し、首と頭を楽にすることによって、椅子に座って安楽に休息と睡眠を取ることができるようにすることを特徴とする。本発明による調節式頭部保持具は、椅子に装着される頭部保持具であって、頭が保持されるように前方に凹状に上段凹部が形成された上段ブロックと、前記上段ブロックの下部に位置し、首が保持されるように前方に凹状に凹部が形成された下段ブロックとを含み、前記上段ブロック及び前記下段ブロックは、互いに相対移動が可能であることを特徴とする。【選択図】２
2013503686.tif 000002
【特許請求の範囲】
【請求項１】
椅子に装着される頭部保持具であって、
頭が保持されるように前方に凹状に上段凹部が形成された上段ブロックと、
前記上段ブロックの下部に位置し、首が保持されるように前方に凹状に凹部が形成された下段ブロックと、を含み、
前記上段ブロックと下段ブロックは、相対移動が可能である頭部保持具。
【請求項２】
前記上段ブロックの下部または前記下段ブロックの上部のうちいずれか一方には、前後スライディング突起が設けられ、他方には、前記前後スライディング突起が挿入されてガイドされる前後スライディング溝が前後方向に長く形成され、
前記上段ブロックと前記下段ブロックを前後方向に相対移動するようにスライディングさせる前後調節手段を,さらに含むことを特徴とする請求項１に記載の頭部保持具。
【請求項３】
前記上段ブロック及び前記下段ブロックが搭載されるメインフレームをさらに含むことを特徴とする請求項１または２に記載の頭部保持具。
【請求項４】
前記上段ブロックは、上段フレームと、前記上段フレームに収容されて結合される緩衝部材と、を含み、
前記下段ブロックは、下段フレームと、前記下段フレームに収容されて結合される緩衝部材と、を含み、
前記前後調節手段は、前記メインフレームに設けられる前後調節ピニオンギアと、前記前後調節ピニオンギアと噛合するように前記上段フレームに結合される前後調節ラックギアと、を含むことを特徴とする請求項３に記載の頭部保持具。
【請求項５】
前記メインフレームは、底板部と、前記底板部の後方から上部に延長する後壁部と、を含み、
前記上段ブロック及び前記下段ブロックは、前記後壁部の前方から前記底板部の上部に設置され、
前記後壁部には、前後方向に貫通する通孔が形成され、
前記前後調節ラックギアは、前記通孔を貫通し、前記前後調節ピニオンギアと噛合することを特徴とする請求項４に記載の頭部保持具。
【請求項６】
前記上段ブロックの下部または、前後スライディング突起が設けられ、前記下段ブロックの上部または、前記前後スライディング突起が挿入されてガイドされる前後スライディング溝が前後方向に長く形成されることを特徴とする請求項５に記載の頭部保持具。
【請求項７】
前記上段ブロックまたは前記下段ブロックの左右幅を調節する左右調節手段を含むことを特徴とする請求項１に記載の頭部保持具。
【請求項８】
前記上段ブロック及び前記下段ブロックが搭載されるメインフレームをさらに含むことを特徴とする請求項７に記載の頭部保持具。
【請求項９】
前記下段ブロックは、右側下段ブロックと左側下段ブロックとを含み、
前記左側下段ブロックは、左側下段フレームと、前記左側下段フレームに結合される緩衝部材とを含み
前記右側下段ブロックは、右側下段フレームと、前記右側下段フレームに結合される緩衝部材とを含み、
前記左右調節手段は、前記メインフレームに内蔵され、互いに反対方向に形成される２個のスクリューギアが外周面に設けられた左右調節棒と、前記左右調節棒のスクリューギアと噛合するスクリューギアが内周面に形成され、前記右側下段フレーム及び前記左側下段フレームに各々結合される左右調節突出部と、を含み、
前記左右調節棒の回転によって前記右側下段フレームの左右調節突出部と前記左側下段フレームの左右調節突出部が互いに反対方向に移動することを特徴とする請求項８に記載の頭部保持具。
【請求項１０】
前記メインフレームは、底板部と、前記底板部の後段から上部に延長する後壁部と、を含み、
前記メインフレームの後壁部には、前記左右調節棒が内蔵され、
前記メインフレームの後壁部には、前記左右調節棒の２個のスクリューギアに対応する位置に左側結合孔及び右側結合孔が形成され、
前記左右調節突出部は、前記左側下段フレーム及び前記右側下段フレームの後方に突出し、前記左側結合孔及び前記右側結合孔に挿入されることを特徴とする請求項９に記載の頭部保持具。
【請求項１１】
前記メインフレームには、左右スライディング溝が左右方向に長く形成され、
前記右側下段フレーム及び前記左側下段フレームには、前記左右スライディング溝に挿入される左右スライディング突起が外側に突出することを特徴とする請求項９に記載の頭部保持具。
【請求項１２】
前記メインフレームの下部には、高さ調節ラックギアが垂直に結合され、
前記高さ調節ラックギアは、高さ調節ピニオンギアと噛合し、前記高さ調節ピニオンギアの回転によって前記メインフレームが上下に移動することを特徴とする請求項１に記載の頭部保持具。
【請求項１３】
前記上段ブロックは、上段フレームと、前記上段フレームに結合される緩衝部材と、を含み、
前記下段ブロックは、下段フレームと、前記下段フレームに結合される緩衝部材と、を含み、
前記下段フレームは、側板と、前記側板の後方に位置する後板と、前記側板及び前記後板の下段に位置する底板と、前記底板の上部に前記底板から離隔して位置する中間板と、を含み、
前記下段フレームの中間板の上部には、前記上段フレームが位置し、前記下段フレームの中間板と前記底板との間に緩衝部材が位置することを特徴とする請求項１に記載の頭部保持具。
【請求項１４】
前記上段フレームの側板の外側には、前後スライディング突起が突出形成され、
前記下段フレームの側板には、前記前後スライディング突起が挿入されてガイドされる前後スライディングスリットが形成されることを特徴とする請求項１３に記載の頭部保持具。
【請求項１５】
前記メインフレームとの側板には、下段フレームの前後スライディングスリットに対応する形状で前後スライディングスリットが形成されることを特徴とする請求項１４に記載の頭部保持具。
【請求項１６】
椅子と前記 頭部保持具の角度調節を可能にする角度調節手段をさらに含むことを特徴とする請求項１に記載の頭部保持具。
【請求項１７】
前記上段ブロック及び前記下段ブロックの少なくとも一部は、ラテックスフォーム、メモリーフォーム、ウレタンフォーム、スポンジのうちいずれか１つ以上を含む材質よりなることを特徴とする請求項１に記載の頭部保持具。
【請求項１８】
前記下段ブロック及び前記メインフレームには、互いに対応する位置に上下貫通孔が各々形成され、
前記前後調節手段は、前記下段ブロック及び前記メインフレームの上下貫通孔を通過し、上段が前記上段ブロックに結合され、下段が前記メインフレームの下部に突出する前後調節棒と、前記メインフレームの下部で前記前後調節棒に螺合する前後調節ハンドルと、を含むことを特徴とする請求項３に記載の頭部保持具。
【請求項１９】
前記下段ブロックは、左側下段ブロックと右側下段ブロックとを含み、
前記メインフレームには、前後方向に貫通形成される前後貫通孔が左右方向に長く形成され、
前記左右調節手段は、前記メインフレームの前後貫通孔を通過し、前段が前記左側下段ブロック及び前記右側下段ブロックに各々結合され、後段は、前記メインフレームの後方に突出する左右調節棒と、前記メインフレームの後方で前記左右調節棒に螺合する左右調節ハンドルと、を含むことを特徴とする請求項８に記載の頭部保持具。
【請求項２０】
椅子に装着される頭部保持具であって、
頭が保持されるように前方に凹状に上段凹部が形成された上段ブロックと、
前記上段ブロックの下部に位置し、首が保持されるように前方に凹状に凹部が形成された下段ブロックと、を含み、
前記下段ブロックは、一部が前記上段ブロックより前方に突出し、前記上段ブロック及び前記下段ブロックの少なくとも一部は、ラテックスフォーム、メモリーフォーム、ウレタンフォーム、スポンジのうちいずれか１つ以上を含む材質よりなることを特徴とする頭部保持具。
【請求項２１】
前記上段ブロックの前面と前記下段ブロックの前面は、段差を有するように形成され、段差面が設けられ、
前記段差面は、後方に行くほど上昇して傾斜することを特徴とする請求項２０に記載の頭部保持具。
【請求項２２】
前記上段ブロック及び前記下段ブロックは、一体に形成する請求項２１に記載の頭部保持具。
【請求項２３】
前記上段ブロックは、上段フレームと、前記上段フレームに収容されて結合される緩衝部材と、を含み、
前記下段ブロックは、下段フレームと、前記下段フレームに収容されて結合される緩衝部材と、を含み、
前記緩衝部材は、ラテックスフォーム、メモリーフォーム、ウレタンフォーム、スポンジのうちいずれか１つ以上を含む材質よりなることを特徴とする請求項２０に記載の頭部保持具 。
【請求項２４】
前記上段フレームに上部が結合され、前記下段フレームに下部が結合されるチルト調節手段をさらに含み、
前記チルト調節手段は、前後方に前記上段フレームと前記下段フレームの相対移動が可能であることを特徴とする請求項２３に記載の頭部保持具。
【請求項２５】
前記頭部保持具の角度調節が可能にする角度調節手段をさらに含むことを特徴とする請求項２４に記載の頭部保持具。
【請求項２６】
前記下段ブロックは、右側下段ブロックと左側下段ブロックとを含み、
前記左側下段ブロック及び右側下段ブロックは、左右方向に移動可能であることを特徴とする請求項２４に記載の頭部保持具。
【請求項２７】
前記上段ブロックと下段ブロックは、相対移動が可能である 請求項２０に記載の頭部保持具。 
【請求項２８】
頭が保持される上段凹部が前方に形成された上段支持部と、
前記上段支持部の下部に位置し、首が保持される下段凹部が前方に形成された下段支持部と、を含み、
前記上段支持部には、切欠部が形成され、前記切欠部を中心にして前記上段支持部が左右拡張及び収縮可能であることを特徴とする頭部保持具。
【請求項２９】
前記上段支持部の後方には、後方凹部が形成する 請求項２８に記載の頭部保持具。
【請求項３０】
前記上段支持部の前段は、前記上段凹部の左右外側が前記下段支持部の前段より後方に位置することを特徴とする請求項２８に記載の頭部保持具。
【請求項３１】
前記後方凹部には、エアバッグが結合され、
前記エアバッグに空気が満たされるかまたは抜かれることによって、前記切欠部が前後に移動し、左右方向に広がるか又は狭まることを特徴とする請求項２９に記載の頭部保持具。
【請求項３２】
前記上段支持部及び下段支持部は、ラテックスフォーム、メモリーフォーム、ウレタンフォーム、スポンジのうちいずれか１つ以上を含んで形成されることを特徴とする請求項２８または２９に記載の頭部保持具。
【請求項３３】
前記上段支持部と前記下段支持部の間には、段差を有するように形成され、前記段差面は、後方に行くほど上昇して傾斜することを特徴とする請求項３０に記載の頭部保持具。
【発明の詳細な説明】
【技術分野】
【０００１】
本発明は、頭部保持具に関し、頭部保持具を上下または左右のブロックに区分し、各々のブロックが前後左右または上下に移動することができるようにして、人の首と頭を自然に支持させて、楽な姿勢を誘導することによって、安楽さを与えることができる頭部保持具に関する。
【０００２】
より詳細には、主に椅子の背もたれの上部で人の頭が当接する部分に設置され、人体工学的な頭形状の凹部を備え、頭が収容される部分が頭部形状または首の厚さによって適切に移動可能にして、首と頭を安定に且つ正確に支持し、首が折れ曲がる現象を防止することができる頭部保持具に関する。
【０００３】
また、前記上段ブロックの前面は、前記下段ブロックの前面より後退して位置することによって、人の首と頭を自然に支持し、楽な姿勢を誘導しながらも、耳部分が自由に維持されることができる頭部保持具であって、人の首と頭を自然に支持させて、楽な姿勢を誘導し、安楽さを与えることができる頭部保持具に関する。
【０００４】
また, 中央に切欠部を形成し、切欠部を中心に頭部保持具を前後左右に拡張可能にすることで、人の首と頭を自然に支持し、楽な姿勢を誘導し、安楽さを与えることができる調節式頭部保持具に関する。
【背景技術】
【０００５】
人の頚椎は、直立状態で活動する時には、少し曲線形（Ｃ字形）の形状で立っているが、一般的に椅子に座って頭と背中を椅子にもたれさせて休息と睡眠を取る時には、頚椎部分が宙に浮かぶようになり、頚椎を支える筋肉の弛緩によって前後左右方向に頚椎の折れと歪みをもたらすようになり、頭の後方の丸い形状に起因して頭の固定が困難であり、左右に傾いて首が折れ曲がる現象も発生する。また、首と頭の傾きを適切に調節しなければ、首筋肉の緊張とともに痛みを誘発することがある。
【０００６】
このような現象と不便さを考慮しない従来の一般椅子や頭部保持具などを使用した時には、時間が経つほど首と肩に痛みと不便さを感じるようになる。従来、一般椅子は、すべての人の頭と首の大きさと形態に合わせて頭部保持具を調節できる技術を活用できる条件を備えていないので、使用者ごとに頭と頚椎部分の不自然で且つ不便な状態と首が折れ曲がる現象を放置するしかないのが現況であり、椅子における首と頭に対する根本的問題点が解決されていないのが実情だ。
【発明の概要】
【発明が解決しようとする課題】
【０００７】
本発明は、前述のような問題を解決するために、人体工学的形状と機能を備え、首と頭の不自然で且つ不便な姿勢の支持状態と首が折れ曲がる現象を根本的に解決することができる形状と機能を備えた頭部保持具を提供することを目的にする。
【課題を解決するための手段】
【０００８】
本発明の一実施例による調節式頭部保持具は上記のような目的を果たすため、椅子に装着される頭部保持具であって、頭が保持されるように前方に凹状に上段凹部が形成された上段ブロックと、前記上段ブロックの下部に位置し、首が保持されるように前方に凹状に凹部が形成された下段ブロックとを含み、前記上段ブロックと前記下段ブロックは、互いに相対移動が可能であることを特徴とする。
【０００９】
また、本発明の一実施例による頭部保持具は、椅子に装着される頭部保持具であって、頭が保持されるように前方に凹状に上段凹部が形成された上段ブロックと、前記上段ブロックの下部に位置し、首が保持されるように前方に凹状に凹部が形成された下段ブロックとを含み、前記下段ブロックは、その一部が前記上段ブロックより前方に突出し、前記上段ブロック及び前記下段ブロックの少なくとも一部は、ラテックスフォーム、メモリーフォーム、ウレタンフォーム、スポンジのうちいずれか１つ以上を含む材質よりなることを特徴とする。
【００１０】
本発明による調節式頭部保持具は、頭が保持される上段凹部が前方に形成された上段支持部と、前記上段支持部の下部に位置し、前方に首が保持される下段凹部が形成された下段支持部とを含み、前記上段支持部には、切欠部が形成され、前記切欠部を中心に前記上段支持部が前後左右に拡張及び収縮可能であることを特徴とする。
【発明の効果】
【００１１】
本発明によれば、頭部保持具が上下または左右にブロック化され、各々調節されるので、頭の高さ、頭の左右方向長さ及び前後方向長さ、頭角度、頭の高さなどに合わせて最も楽な状態で頭部保持具を調節することができる。
【００１２】
また、本発明によれば、上段ブロックの前面が下段ブロックの前面より後方に位置し、首と頭が充分に固定されながらも、耳部分が自由になることができる。さらに、上段ブロックの前面が下段ブロックより後退し、前記上段ブロックと下段ブロックとの間に傾斜した段差面が形成されるので、使用者がさらに楽に頭と首をもたれさせて、頭と首が適切に支持されるようにすることができる。
【００１３】
また、本発明によれば、切欠部が形成されることによって、使用者の頭に相当するように上段凹部の大きさを調節することができるため、 頭をさらに楽に適切に固定させることができ、これにより、首が折れ曲がるのを防止することができる。
また、切欠部が形成された部分が人の頭の重さまたはエアバッグの空気移動によって拡張及び収縮が容易になる。
【図面の簡単な説明】
【００１４】
【図１】本発明の第１実施例による頭部保持具が椅子に装着された様子を示す図である。
【図２】本発明の第１実施例による頭部保持具の上段ブロックと下段ブロックを示す分離斜視図である。
【図３】本発明の第１実施例による頭部保持具全体の分離斜視図である。
【図４】本発明の第１実施例による頭部保持具の上段ブロックと下段ブロックを後方から斜めに見た斜視図である。
【図５】上段ブロックと下段ブロックが結合されたメインフレームを後方から斜めに見た斜視図である。
【図６】本発明の第２実施例による頭部保持具が椅子に装着された様子を示す図である。
【図７】本発明の第２実施例による頭部保持具の上段ブロックと下段ブロックを示す分離斜視図である。
【図８】本発明の第２実施例によるメインフレームを示す図である。
【図９】本発明の第２実施例による頭部保持具の左右調節手段を示す図である。
【図１０】本発明の第２実施例による頭部保持具の前後調節手段を側面から見た透視図である。
【図１１】本発明の第２実施例による頭部保持具の前後調節手段を上方から見た断面図である。
【図１２】本発明の第２実施例による角度調節手段及びチルト調節手段を正面から見た断面図である。
【図１３】本発明の第２実施例による角度調節手段を示す図である。
【図１４】本発明の第２実施例によるチルト調節手段を示す図である。
【図１５】本発明の第３実施例による頭部保持具を示す図である。
【図１６】本発明の第３実施例による頭部保持具をブロック別に分離して示す図である。
【図１７】本発明の第３実施例による頭部保持具の上段ブロック及び左右調節手段を示す図である。
【図１８】本発明の第４実施例による頭部保持具を示す斜視図である。
【図１９】本発明の第５実施例による頭部保持具が椅子に装着された様子を示す斜視図である。
【図２０】本発明の第５実施例による頭部保持具の上段ブロックと下段ブロックを示す図である。
【図２１】本発明の第５実施例による頭部保持具のチルト調節手段及び角度調節手段を前方側から見た断面図である。
【図２２】本発明の第５実施例による頭部保持具のチルト調節手段の内部構造を示す図である。
【図２３】本発明の第５実施例による頭部保持具の角度調節手段を示す図である。
【図２４】本発明の第５実施例による頭部保持具が結合される前の椅子の様子を示す図である。
【図２５】本発明の第６実施例による頭部保持具が椅子に結合された様子を示す図である。
【図２６】本発明の第６実施例による頭部保持具の上段ブロックと下段ブロックを示す分離斜視図である。
【図２７】本発明の一実施例による調節式頭部保持具を示す斜視図である。
【図２８】本発明の一実施例による調節式頭部保持具が椅子に装着される様子を示す図である。
【図２９】本発明の他の実施例による調節式頭部保持具が椅子に装着される様子を示す図である。
【図３０】本発明の他の実施例による調節式頭部保持具においてエアバッグが収縮した様子を上部から見た概略図である。
【図３１】本発明の他の実施例による調節式頭部保持具においてエアバッグが膨脹した様子を上部から見た概略図である。
【発明を実施するための形態】
【００１５】
以下、添付の図面を参照して本発明による頭部保持具の実施例を説明する。
【００１６】
［第１実施例］  
図１は、本発明の一実施例による頭部保持具が椅子１０の上部に形成された収容部１１に装着された様子を示す斜視図であり、図２は、上段ブロック１００と下段ブロック２００を分離して示す図であり、図３は、本実施例による頭部保持具の分離斜視図である。また、図４は、本実施例による頭部保持具の上段ブロック１００と下段ブロック２００を後方から斜めに見た斜視図であり、図５は、メインフレーム３００を後方から斜めに見た斜視図である。
【００１７】
本実施例による頭部保持具は、上段ブロック１００と下段ブロック２００を含み、前記上段ブロック１００は、右側上段ブロック１１０と左側上段ブロック１２０を含み、前記下段ブロック２００は、右側下段ブロック２１０と左側下段ブロック２２０を含む。
【００１８】
前記上段ブロック１００の中央には、人の後頭部の形状と同じように凹状に略半球形の溝が形成された上段凹部１３０が設けられ、前記下段ブロック２００の中央には、略半円筒形状の溝が形成された下段凹部２３０が設けられる。前記上段凹部１３０には、使用者の後頭部が保持され、前記下段凹部２３０には、使用者の首が保持固定され、首が折れ曲がる現象が防止される。
【００１９】
前記右側上段ブロック１１０、左側上段ブロック１２０、右側下段ブロック２１０、左側下段ブロック２２０は、各々フレーム１１２、１２２、２１２、２２２と、前記フレームに結合される緩衝部材１１１、１２１、２１１、２２１とを含む。
【００２０】
図２を参照すれば、上段ブロック１００の上段フレーム１１２、１２２は、各々側板１１４、１２４と、前記側板１１４、１２４の後段に位置する後板１１３、１２３と、前記側板１１４、１２４及び前記後板１１３、１２３の下段に位置する底板１１５、１２５とを含み、前記底板１１５、１２５は、前記側板１１４、１２４から内側に所定長さだけ延長し、前記後板１１３、１２３から前方で所定長さだけ延長し、略Ｌ字形状を有する。前記底板１１５、１２５の下方には、前後方向に長く延長する前後スライディング突起１１６、１２６が突出し、前記後板１１３、１２３の後方には、前後方向に長く延長する前後調節ラックギア６０４が突出する。
【００２１】
前記下段ブロック２００の下段フレーム２１２、２２２は、各々側板２１４、２２４と、前記側板２１４、２２４の後段に位置する後板２１３、２２３と、前記側板２１４、２２４及び前記後板２１３、２２３の下段に位置する底板２１５、２２５とを含み、前記底板２１５、２２５は、前記側板２１４、２２４から内側に所定長さだけ延長し、前記後板２１３、２２３から前方に所定長さだけ延長し、略Ｌ字形状を有する。前記底板２１５、２２５の下方には、左右方向に長く延長する左右スライディング突起２１７、２２７が突出し、前記側板２１４、２２４の上部には、前記前後スライディング突起に対応するように前後方向に長く延長する前後スライディング溝２１６、２２６が形成される。
【００２２】
なお、前記緩衝部材１１１、１２１、２１１、２２１は、ラテックスフォーム、メモリーフォーム、ウレタンフォーム、スポンジなどの弾性を有する部材を含んでなることが好ましく, 発泡成形方式（Foaming expansion molding system）で製作した後、後加工処理をし、弾性部材の外周面に軟質のポリウレタン樹脂がコーティングされるようにして、水分の浸透を防止し、汚染を防止するようにすることができる。
【００２３】
前記ポリウレタン外周面には、繊維吸着剤７０％、防水剤２０％、抗菌防臭剤１０％を混合したコーティング液を塗布し、細菌防止と清潔を維持することができる。
【００２４】
しかし、前記緩衝部材に外皮を使用する時には、後加工処理を省略することができる。
【００２５】
なお、前記右側上段フレーム１１２、左側上段フレーム１２２、右側下段フレーム２１２、左側下段フレーム２２２としては、プラスチック射出物または金属などを使用することができる。
【００２６】
前記下段ブロック２００の下方には、図３のように、メインフレーム３００が位置する。
【００２７】
前記メインフレーム３００は、底板部３１０と、前記底板部３１０の後段から上部に延長する後壁部３２０を含む。
【００２８】
前記底板部３１０の左右端には、左右方向に延長する左右スライディング溝３３０が各々形成され、この左右スライディング溝３３０には、前記下段フレーム２１２、２２２下部の左右スライディング突起２１７、２２７が挿入される。
【００２９】
また、前記底板部３１０の下部には、高さ調節ラックギア４０３が結合される。
【００３０】
前記後壁部３２０の内側には、後述する左右調節手段５００が収容される左右調節手段収容部３４０が左右に長く形成され、前記左右調節収容部３４０の上部には、後述する前後調節手段６００が収容される前後調節手段収容部３５０が左右に長く形成される。
【００３１】
この際、前記左右調節手段収容部３４０の中央の所定位置には、前方に右側結合孔３４１及び左側結合孔３４２が形成され、前記前後調節手段収容部３５０の左右両端部の付近には、前後方向に右側通孔３５１及び左側通孔３５２が各々形成される。
【００３２】
上記のような上段ブロック１００及び下段ブロック２００は、後述する高さ調節手段４００、左右調節手段５００及び前後調節手段６００によって上下、左右、前後に調節可能である。
【００３３】
まず、高さ調節手段４００は、図３に示されたように、高さ調節ハンドル４０１と、前記高さ調節ハンドル４０１の内側に結合される高さ調節棒４０２と、前記高さ調節棒４０２の外側に形成された高さ調節ピニオンギア（図示せず）と、前記高さ調節ピニオンギア（図示せず）と噛合し、且つ上下に長く延長し、その上段が前記底板部３１０の下部に結合される高さ調節ラックギア４０３とを含む。
【００３４】
したがって、使用者が前記高さ調節ハンドル４０１を回せば、高さ調節棒４０２及び高さ調節ピニオンギア（図示せず）が回転し、前記高さ調節ピニオンギア（図示せず）の回転によって高さ調節ラックギア４０３が上下方向に移動することによって、前記メインフレーム３００を上下方向に移動させ、これにより、頭部保持具の高さを上下方向に調節することができる。
【００３５】
次に、左右調節手段５００は、図３及び図４に示されたように、左右調節ハンドル５０１と、前記左右調節ハンドル５０１から内側に長く延長し、中央所定位置には、２つのスクリューギア５０３、５０４が形成される左右調節棒５０２と、前記右側下段フレーム２１２の後方及び前記左側下段フレーム２２２の後方に突出し、内側にスクリューギアが形成された左右調節突出部５０５（図４参照）を含む。前記左右調節棒５０２に形成される右側スクリューギア５０３と左側スクリューギア５０４とは、互いに離隔して形成され、互いに反対方向にギアが形成される。
【００３６】
したがって、使用者が左右調節ハンドル５０１を一方に回せば、左右調節棒５０２、右側スクリューギア５０３及び左側スクリューギア５０４が回転し、そのため、前記左右調節突出部５０５間の間隔が広がるか又は狭まるようになり、その結果として、左側下段ブロック２１０と右側下段ブロック２２０との間の間隔が広がるか又は狭まるようになる。
【００３７】
次に、前後調節手段６００は、図３及び図５に示されたように、前後調節ハンドル６０１と、前記前後調節ハンドル６０１から内側に延長する前後調節棒６０２と、前記前後調節棒６０２の左右両端の付近に形成される２つの前後調節ピニオンギア６０３と、前記前後調節ピニオンギア６０３と噛合し、且つ前記上段フレームの後方に突出する前後調節ラックギア６０４とを含む。前記２つの前後調節ピニオンギア６０３は、各々図３に示された前記右側通孔３５１及び左側通孔３５２に対応する位置に形成され、前記右側通孔３５１及び前記左側通孔３５２には、各々前後調節ラックギア６０４が挿入され、前記前後調節ピニオンギア６０３と噛合する。
【００３８】
したがって、使用者が前記前後調節ハンドル６０１を回せば、前後調節棒６０２及び前後調節ピニオンギア６０３が回転し、これにより、前後調節ラックギア６０４が前後方向に移動し、上段ブロック１００を前後方向に移動させる。
【００３９】
なお、上記のような頭部保持具が椅子に装着されるにあたって、収容部１１の一側面には、スイッチ収容スリット１２が貫通形成され、前記スイッチ収容スリット１２を通じて左右調節棒５０２または前後調節棒６０２が通過する。前記スイッチ収容スリット１２は、前記左右調節棒５０２及び前後調節棒６０２が移動することができるように余裕のある空間で形成されることが好ましい。
【００４０】
以下、前述のような構成を有する本実施例による頭部保持具の作動原理を説明する。  
まず、使用者は、椅子に座って上段凹部１３０に頭が保持され、下段凹部２３０に首が保持されるようにする。
【００４１】
この際、頭部保持具が頭の位置に比べて高いか又は低い場合には、高さ調節ハンドル４０１を回し、高さ調節ピニオンギア（図示せず）を回転させることによって、高さ調節ラックギア４０３及びメインフレーム３００が上下移動するようにして、頭部保持具の高さを調節することができる。
【００４２】
なお、上段凹部１３０または下段凹部２３０の左右幅が多少広いか又は狭い場合には、左右調節ハンドル５０１を回し、左右調節棒５０２の外側に形成された右側スクリューギア５０３及び左側スクリューギア５０４が回転するようにして、これと結合された左右調節突出部５０５が左右方向に広がるか又は狭まることによって、下段フレーム２１２、２２２と上段フレーム１１２、１２２の左右幅を広げるか又は狭めることができる。
【００４３】
なお、使用者の後頭部が相対的に後方に飛び出しているか或いは反対に後頭部が平たくて前後方向の調節が必要な場合には、前後調節ハンドル６０１を回し、前後調節ピニオンギア６０３を回転させ、これと結合された前後調節ラックギア６０４が前後方向に移動するようにして、前記前後調節ラックギア６０４と結合された上段フレーム１１２、１２２を前後方向に移動させて、頭または首が楽な状態に頭部保持具を調節することができる。
【００４４】
なお、本実施例では、前記高さ調節ピニオンギア（図示せず）、右側スクリューギア５０３及び左側スクリューギア５０４、前後調節ピニオンギア６０３などが各々手動のハンドル操作によって回転したが、これを電動モーターで回転させることも可能である。
【００４５】
また、センサーを付着し、使用者の頭大きさ及び形状を感知するようにして、自動で頭部保持具を調節することができるようにすることも可能である。
【００４６】
なお、本実施例では、頭部保持具を大きく４個のブロックに分け、高さ調節手段４００、左右調節手段５００、前後調節手段６００を各々採用し、上下前後左右のすべての方向への調節が可能にしたが、頭部保持具を左右２つのブロックだけに分けるか又は上下２つのブロックだけに分けることによって、これに必要な調節手段のみを選択的に適用することもでき、上段ブロックだけを左右に分けるか、下段ブロックだけを左右に分けることによって、頭部保持具を３個のブロックで構成し、これに必要な調節手段を取捨選択することも可能である。
【００４７】
［第２実施例］  
図６は、本実施例による頭部保持具が椅子１０ａに装着された様子を示す斜視図であり、図７は、上段ブロック１００ａと下段ブロック２００ａを分離して示す図であり、図８は、メインフレーム３００ａを示す図である。
【００４８】
前記第１実施例では、椅子１０の上部に収容部１１が形成され、この収容部１１に頭部保持具が内蔵される構造を有していたが、本実施例では、椅子１０ａの上側に突出するようにメインフレーム３００ａが結合され、前記メインフレーム３００ａの内部に頭部保持具のブロックが設置される。
【００４９】
本実施例による頭部保持具は、図６及び図７のように、上段ブロック１００ａと下段ブロック２００ａを含み、前記上段ブロック１００ａは、さらに、右側上段ブロック１１０ａと左側上段ブロック１２０ａを含み、前記下段ブロック２００ａは、右側下段ブロック２１０ａと左側下段ブロック２２０ａを各々含む。
【００５０】
前記上段ブロック１００ａの中央には、人の後頭部の形状と同じように凹状に略半球形の溝が形成された上段凹部１３０ａが設けられ、前記下段ブロック２００ａの中央には、略円筒形状の溝が形成された下段凹部２３０ａが設けられる。前記上段凹部１３０ａには、使用者の後頭部が保持され、前記下段凹部２３０ａには、使用者の首が保持固定され、首が折れ曲がる現象が防止される。
【００５１】
前記右側上段ブロック１１０ａ、左側上段ブロック１２０ａ、右側下段ブロック２１０ａ、左側下段ブロック２２０ａは、各々フレーム１１２ａ、１２２ａ、２１２ａ、２２２ａと、前記フレームに結合される緩衝部材１１１ａ、１２１ａ、２１１ａ、２２１ａとを含む。
【００５２】
図７を参照すれば、上段ブロック１００ａの上段フレーム１１２ａ、１２２ａは、各々側板１１４ａ、１２４ａと、前記側板１１４ａ、１２４ａの後段に位置する後板１１３ａ、１２３ａと、前記側板１１４ａ、１２４ａ及び前記後板１１３ａ、１２３ａの下段に位置する底板１１５ａ、１２５ａとを含み、前記底板１１５ａ、１２５ａは、前記側板１１４ａ、１２４ａから内側に所定長さだけ延長し、前記後板１１３ａ、１２３ａから前方に所定長さだけ延長し、略Ｌ字形状を有する。
【００５３】
この際、右側上段フレーム１１２ａの後板１１３ａには、左側に向かって突出する左右結合突起１１８ａが突出し、左側上段フレーム１２２ａの後板１２３ａには、前記左右結合突起１１８ａが挿入される左右結合溝（図示せず）が右側に向かって開口されて形成される。
【００５４】
また、前記右側上段フレーム１１２ａ及び前記左側上段フレーム１２２ａの側板１１４ａ、１２４ａの外側には、前後スライディング突起１１６ａ、１２６ａが設けられ、前記前後スライディング突起１１６ａ、１２６ａには、左右方向に締結孔１１７ａ、１２７ａが形成される。
【００５５】
なお、前記下段ブロック２００ａの下段フレーム２１２ａ、２２２ａは、各々側板２１４ａ、２２４ａと、前記側板２１４ａ、２２４ａの後段に位置する後板２１３ａ、２２３ａと、前記側板２１４ａ、２２４ａ及び前記後板２１３ａ、２２３ａの下段に位置する底板２１５ａ、２２５ａ、前記底板２１５ａ、２２５ａの上部から離隔され、略平行に位置する中間板２１６ａ、２２６ａとを含み、前記底板２１５ａ、２２５ａ及び中間板２１６ａ、２２６ａは、前記側板２１４ａ、２２４ａから内側に所定長さだけ延長し、前記後板２１３ａ、２２３ａから前方に所定長さだけ延長し、略Ｌ字形状を有する。
【００５６】
この際、前記側板２１４ａ、２２４ａには、中間板２１６ａ、２２６ａの上部に、前方から前後スライディングスリット２１７ａ、２２７ａが切り込まれて形成される。また、前記側板２１４ａ、２２４ａには、中間板２１６ａ、２２６ａと底板２１５ａ、２２５ａとの間に、内側にスクリューギアが形成された左右調節孔５０３ａが設けられる。
【００５７】
また、右側下段フレーム２１２ａの後板２１３ａには、左側に向かって左右結合突起２１９ａが突出し、左側下段フレーム２２２ａの後板２２３ａには、前記左右結合突起２１９ａが挿入される左右結合溝（図示せず）が右側に向かって開口されて形成される。
【００５８】
また、前記底板２１５ａ、２２５ａの下部には、各々左右方向に長く延長する左右スライディング突起２１８ａ、２２８ａが突出する。
【００５９】
なお、緩衝部材１１１ａ、１２１ａ、２１１ａ、２２１ａは、ラテックスフォーム、メモリーフォーム、ウレタンフォーム、スポンジなどの弾性を有する部材を含んでなることが好ましく、発泡成形方式（Foaming expansion molding system）で製作した後、後加工処理をし、弾性部材の外周面に軟質のポリウレタン樹脂がコーティングされるようにして、水分の浸透を防止し、汚染を防止するようにすることができる。
【００６０】
前記ポリウレタン外周面には、繊維吸着剤７０％、防水剤２０％、抗菌防臭剤１０％を混合したコーティング液を塗布し、細菌防止と清潔を維持することができる。  
しかし、前記緩衝部材に外皮を使用する時には、後加工処理を省略することができる。
【００６１】
なお、前記フレームとしては、プラスチック射出物または金属などを使用することができる。
【００６２】
このような緩衝部材のうち、上部緩衝部材１１１ａ、１２１ａは、上部フレーム１１２ａ、１２２ａの底板１１５ａ、１２５ａの上に結合され、下部緩衝部材２１１ａ、２２１ａは、下部フレーム２１２ａ、２２２ａの中間板２１６ａ、２２６ａと底板２１５ａ、２２５ａとの間に挿入されて結合される。
【００６３】
前記下段フレーム２１２ａ、２２２ａの中間板２１６ａ、２２６ａの上には、前記上段フレーム１１２ａ、１２２ａが載置される。
【００６４】
このような頭部保持具の上段ブロック１００ａ及び下段ブロック２００ａは、メインフレーム３００ａの内側に結合され、前記メインフレーム３００ａは、図８に示されたように、左右両側の側板部３１０ａと、前記側板部３１０ａの後段に位置する後板部３２０ａと、前記側板部３１０ａ及び前記後板部３２０ａの下段に位置する底板部３３０ａとを含む。
【００６５】
前記側板部３１０ａの外側には、後述する前後調節ハウジング６０４ａが結合され、前記前後調節ハウジングの前方側には、前後方向に長く前後スライディングスリット３１１ａが形成される。
【００６６】
また、前記側板部３１０ａには、後述する左右調節棒５０２ａが通過することができる通孔３１２ａが形成される。また、前記側板部３１０ａには、メインフレーム３００ａの角度調節のための角度調節手段７００ａが結合される。
【００６７】
また、前記底板部には、下段フレーム２１２ａの底板部２１５ａ、２２５ａの下部左右スライディング突起２１８ａ、２２８ａと結合される各々左右方向に長く延長する左右スライディングスリット３３１ａが形成される。
【００６８】
なお、本実施例による頭部保持具は、図８、図９〜図１４に示されたような左右調節手段５００ａ、前後調節手段６００ａ、角度調節手段７００ａ、チルト調節手段８００ａを含み、左右方向に調節が可能であり、前後方向に調節が可能であり、角度調節が可能であり、チルト調節が可能である。
【００６９】
まず、左右調節手段５００ａは、図８及び図９に示されたように、左右調節ハンドル５０１ａと、外周面にスクリューギアが形成された左右調節棒５０２ａと、下段フレーム２１２、２２２ａの側板２１４ａ、２２４ａに形成され、内側にスクリューギアが設けられた左右調節孔５０３ａとを含む。
【００７０】
したがって、使用者が左右調節ハンドル５０１ａを回転させれば、左右調節棒５０２ａが回転し、これにより、左右調節棒５０２ａの外周面のスクリューギアと左右調節孔５０３ａの内周面のスクリューギアとが噛合し回転することによって、下段フレーム２１２ａ、２２２ａが左右移動する。したがって、左側、右側に各々設けられた左右調節手段５００ａを調節することによって、右側下段ブロック２１０ａと左側下段ブロック２２０ａとの間を広く広げるか又は狭く狭めることができるようになる。
【００７１】
この際、下段フレーム２１２ａ、２２２ａの左右スライディング突起２１８ａ、２２８ａは、メインフレーム３００ａの左右スライディングスリット３３１ａによってスライディングがガイドされる。
【００７２】
次に、前後調節手段６００ａは、図１０及び図１１に示されているが、図１０は、前記前後調節手段６００ａを側面から見た概略的な透視図であり、図１１は、前記前後調節手段６００ａを上部から見た断面図である。
【００７３】
前記前後調節手段６００ａは、前後調節ハンドル６０１ａと、前記前後調節ハンドル６０１ａの内側に結合された前後調節ピニオンギア６０２ａと、前記前後調節ピニオンギア６０２ａに結合され、前後方向に延長する前後調節ラックギア６０３ａと、前記前後調節ラックギア６０３ａの一端と前記上段フレーム１１２ａ、１２２ａの側板１１４ａ、１２４ａ外側の前後スライディング突起１１６ａ、１２６ａとを連結する連結ピン６０５ａとを含む。
【００７４】
この際、前記前後調節ピニオンギア６０２ａ及び前記前後調節ラックギア６０３ａの一部は、側板部３１０ａに付着した前後調節ハウジング６０４ａの内部に収容される。また、前記前後スライディング突起１１６ａ、１２６ａは、前記下段フレーム２１２ａ、２２２ａの前後スライディングスリット２１７ａ、２２７ａとメインフレーム３００の前後スライディングスリット３１１ａに挿入され、前後方向にスライディングされる。
【００７５】
したがって、使用者が前後調節ハンドル６０１ａを回せば、前記前後調節ピニオンギア６０２ａが回転し、これにより、前記前後調節ラックギア６０３ａが前方または後方に移動し、前記前後調節ラックギア６０３ａと連結ピン６０５ａを介して連結された前記上段フレーム１１２ａ、１２２ａが前後方向に移動する。
【００７６】
なお、角度調節手段７００ａは、図１２に正面から見た断面図が示されていて、図１３の左側には、側面から見た外部の様子が示されていて、図１３の右側には、側面から見た内部構造が示されている。
【００７７】
前記角度調節手段７００ａは、ハウジング７０１ａと、前記ハウジング７０１ａの内側に形成された収容部７０２ａと、前記収容部７０２ａに収容された鋸歯部７０３ａと、前記鋸歯部７０３ａの下部に配置され、スイッチングレバー７０７ａの操作に連動して回転し、且つ角部が丸められた略三角形のスイッチング部材７０４ａと、前記スイッチング部材７０４ａの左右両側に位置する２つのストッパー７０５ａと、前記ストッパー７０５ａを前記スイッチング部材７０４ａの側に加圧するバネ７０６ａとを含む。
【００７８】
前記バネ７０６ａは、一端が前記収容部７０２ａの壁面に支持され、他端が前記ストッパー７０５ａに支持され、前記ストッパー７０５ａを常時前記スイッチング部材７０４ａの側に加圧する。したがって、前記ストッパー７０５ａが前記スイッチング部材７０４ａの角部と接触している時には、前記ストッパー７０５ａと前記鋸歯部７０３ａが互いに離隔されているが、前記スイッチング部材７０４ａが回転することによって、角部ではなく、一辺が前記ストッパー７０５ａと接触する場合には、斜めに配置されていた前記ストッパー７０５ａが垂直に配置されるので、鋸歯部７０３ａと接触するようになる。
【００７９】
このようにいずれか１つのストッパー７０５ａが前記鋸歯部７０３ａの鋸歯の間に挟持されれば、前記鋸歯部７０３ａは、前記ストッパー７０５ａを前記バネ７０６ａの側に加圧する方向に回転可能であるが、前記ストッパー７０５ａを前記スイッチング部材７０４ａの側に加圧する方向には回転することができない。
【００８０】
なお、前記角度調節手段７００ａのハウジング７０１ａは、上下に長く延長し、上側の一部は、後述する前記チルト調節手段８００ａのハウジング外側に結合され、その下段は、椅子の上部に挿入され、椅子と結合される。
【００８１】
なお、チルト調節手段８００ａは、図１２に正面から見た断面図が示されていて、図１４には、側面から見た内部構造が示されている。
【００８２】
前記チルト調節手段８００ａは、現在自動車のヘッドレストに一般的に使用されているもので、後方から前方の側に力を加えれば、前方に所定距離だけ移動し、上方にも所定距離だけ移動する機能を有する。
【００８３】
このような機能を有するチルト調節手段８００ａは、ハウジング８０１ａと前記ハウジング８０１ａの内側に収容される回動部材８０２ａ及びバネ８０５ａを備えてなる。ここで、前記回動部材８０２ａの上段は、ヒンジ結合部８０３ａを介して前記ハウジング８０１ａの内側面に回動可能に結合され、その下段は、他のヒンジ結合部８０４ａを介して前記角度調節手段７００ａに回動可能に結合される。
【００８４】
したがって、前記チルト調節手段８００ａの回動部材８０２ａが図１４の上図のように斜めに傾斜した状態で、前記メインフレーム３００ａに前方に力を加えれば、図１４の下図のように、前記回動部材８０２ａが上下に垂直に整列されるように回転しながら、前記上段フレーム１２０ａが前方に所定距離だけ、そして上方に所定距離だけ移動する。
【００８５】
このようなチルト調節手段８００ａの内部構成及び原理は、前述したように、現在自動車のヘッドレストに一般的に広く使用されているもので、本実施例で説明するチルト調節手段８００ａは、現在自動車に一般的に使用されているチルト調節手段の構成及び原理を借用したものなので、その構成及び作動原理に関するさらに詳しい説明は省略する。
【００８６】
以下、上記のような構成を有する本実施例による頭部保持具の作動原理を説明する。  
椅子に座って上段凹部１３０ａに頭が保持され、下段凹部２３０ａに首が保持されるようにする。
【００８７】
この際、上段凹部１３０ａまたは下段凹部２３０ａの左右幅が多少広いか又は狭い場合には、左右調節ハンドル５０１ａを回し、外側にスクリューギアが形成された左右調節棒５０２ａを回転させ、下段フレーム１１２ａ、２２２ａの側板２１４ａ、２２４ａの締結孔５０３ａの内側に形成されたスクリューギアが前記左右調節棒５０２ａ外側のスクリューギアと噛合し、前記下段フレーム２１２ａ、２２２ａと上段フレーム１１２ａ、１２２ａが一緒に左右方向に移動し、凹部１３０ａ、２３０ａの幅を調節することができる。
【００８８】
なお、使用者の後頭部が相対的に後方に飛び出しているか、或いは反対に後頭部が平たくて前後方向の調節が必要な場合には、前後調節ハンドル６０１ａを回し、前後調節ピニオンギア６０２ａを回転させ、これと結合された前後調節ラックギア６０３ａが前後方向に移動するようにして、前記前後調節ラックギア６０３ａと連結ピン６０５ａを介して結合された前後調節突起１１６ａ、１２６ａに前後方向に力を加えるようになり、これにより上段フレーム１１２ａ、１２２ａが前後方向に移動し、頭または首が楽な状態になるように頭部保持具を調節することができる。
【００８９】
また、メインフレーム３００ａの角度調節が必要な場合には、角度調節手段７００ａの調節レバー７０７ａを中間位置に操作し、スイッチング部材７０４ａを中立位置となるようにし、鋸歯部７０４ａを前後方に回転可能にした後、楽な角度までメインフレーム３００ａを回転させた以後には、メインフレーム両側に設置された調節レバー７０７ａを各々異なる方向に操作し、これ以上回転しないように固定する。
【００９０】
また、チルト調節が必要な場合には、メインフレーム３００ａを前方または後方に押圧すれば、前記チルト調節手段８００ａの回動部材が回転し、メインフレーム３００ａが上下方向及び前後方向に所定距離だけ移動し、チルト調節が行われるようにすることもできる。
【００９１】
これにより、使用者は、自分の体形及び頭部形状に最も適した状態で上段ブロック１００及び下段ブロック２００を調節し、頭が楽に支持されるようにすることができる。
【００９２】
なお、本実施例では、左右調節棒５０２ａ及び前後調節ピニオンギア６０２ａが各々手動のハンドル操作によって回転したが、これを電動モーターで回転させることも可能である。なお、椅子１０ａに対するメインフレーム３００ａの角度調節も電動モーターを使用して行うことができる。
【００９３】
また、本実施例では、頭部保持具を大きく４個のブロックに分け、左右調節手段５００ａ、前後調節手段６００ａを各々採用し、前後左右のすべての方向への調節が可能にしたが、頭部保持具を左右２つのブロックだけに分けるか、上下２つのブロックだけに分けることによって、これに必要な調節手段を選択的に適用することもでき、上段ブロックだけを左右に分けるか、下段ブロックだけを左右に分けることによって、頭部保持具が３個のブロックで構成されるようにし、これに必要な調節手段を取捨選択することも可能である。
【００９４】
また、本実施例では、チルト調節手段を椅子１０ａと前記メインフレーム３００ａとの間に１つだけ設置したが、上段フレーム１１２ａ、１２２ａと下段フレーム２１２ａ、２２２ａとの間に１つをさらに設置し、前記上段フレーム１１２ａ、１２２ａと前記下段フレーム２１２ａ、２２２ａとの間で追加的な角度調節を可能にすることもできる。
【００９５】
［第３実施例］  
図１５は、本発明の第３実施例による頭部保持具を示す図であり、図１６は、これをブロック別に分離して示す図であり、図１７は、上段ブロック及び左右調節手段を後方から見た斜視図である。
【００９６】
本実施例による頭部保持具は、上段ブロック１００ｆと下段ブロック２００ｆを含み、前記上段ブロック１００ｆは、右側上段ブロック１１０ｆと左側上段ブロック１２０ｆを含み、前記下段ブロック２００ｆは、右側下段ブロック２１０ｆと左側下段ブロック２２０ｆを含む。
【００９７】
前記上段ブロック１００ｆの中央には、人の後頭部の形状と同じように凹状に略半球形の溝が形成された上段凹部１３０ｆが設けられ、前記下段ブロック２００ｆの中央には、略半円筒形状の溝が形成された下段凹部２３０ｆが設けられる。前記上段凹部１３０ｆには、使用者の後頭部が保持され、前記下段凹部２３０ｆには、使用者の首が保持固定され、首が折れ曲がる現象が防止される。
【００９８】
前記右側上段ブロック１１０ｆ、左側上段ブロック１２０ｆ、右側下段ブロック２１０ｆ、左側下段ブロック２２０ｆは、各々フレーム１１２ｆ、１２２ｆ、２１２ｆ、２２２ｆと、前記フレームに結合される緩衝部材１１１ｆ、１２１ｆ、２１１ｆ、２２１ｆとを含む。
【００９９】
前記フレーム１１２ｆ、１２２ｆ、２１２ｆ、２２２ｆは、プラスチック射出物または金属などよりなり、略１／４球形の内側面を有するように形成され、前記緩衝部材１１１ｆ、１２１ｆ、２１１ｆ、２２１ｆは、ラテックスフォーム、メモリーフォーム、ウレタンフォーム、スポンジなどの弾性を有する部材を含んでなることが好ましく、発泡成形方式（Foaming expansion molding system）で製作した後、後加工処理をし、弾性部材の外周面に軟質のポリウレタン樹脂がコーティングされるようにして、水分の浸透を防止し、汚染を防止するようにすることができる。
【０１００】
前記ポリウレタン外周面には、繊維吸着剤７０％、防水剤２０％、抗菌防臭剤１０％を混合したコーティング液を塗布し、細菌防止と清潔を維持することができる。  
しかし、前記緩衝部材に外皮を使用する時には、後加工処理を省略することができる。
【０１０１】
なお、前記右側上段フレーム１１２ｆ及び左側上段フレーム１２２ｆは、略１／４球形の内側面を有し、前記右側上段フレーム１１２ｆの後段では、左側に向かって結合突起１１３ｆが突出し、前記左側上段フレーム１２２ｆの後段には、前記結合突起１１３ｆが挿入され、スライディング可能な結合溝（図示せず）が右側に向かって開口されて形成される。
【０１０２】
また、前記右側下段フレーム２１２ｆ及び左側下段フレーム２２２ｆの後方には、左右調節棒５０２ｆが結合され、前記左右調節棒５０２ｆの外周面には、ねじ山が形成され、後述するメインフレーム３００ｆに前記右側下段フレーム２１２ｆ及び左側下段フレーム２２２ｆが結合される場合、メインフレーム３００ｆの後板部３２０ｆに形成された前後貫通孔３２１ｆを通過する。
【０１０３】
また、前記右側上段フレーム１１２ｆ及び左側上段フレーム１２２ｆの下部には、前後方向に長く前後スライディング突起（図示せず）が突出し、前記前後スライディング突起は、後述する下段フレーム２１２ｆ、２２２ｆの前後ガイド溝２１４ｆ、２２４ｆに挿入され、ガイドされる。
【０１０４】
なお、右側下段フレーム２１２ｆ及び左側下段フレーム２２２ｆは、略直方体の部材の角部を円筒の１／４形状で除去したものと同じ形状を有し、上部には、前後ガイド溝２１３ｆ、２２３ｆが前後方向に長く形成され、前方の所定位置には、上下貫通孔２１４ｆ、２２４ｆが上下に貫通されて形成される。
【０１０５】
前記上下貫通孔２１４ｆ、２２４ｆには、後述する前後調節手段６００ｆの前後調節棒６０２ｆが貫通される。
【０１０６】
前記右側下段フレーム２１２ｆの後段には、左側に向かって突出する結合突起２１５ｆが設けられ、前記左側下段フレーム２２２ｆの後段には、前記結合突起２１５ｆが挿入される結合溝（図示せず）が右側に向かって開口されて形成される。
【０１０７】
メインフレーム３００ｆは、左右両側に２つの側板部３１０ｆと、前記側板部の後段に位置する後板部３２０ｆと、前記側板部３１０ｆ及び前記後板部３２０ｆの左右下段に設けられる底板部３３０ｆとを含む。
【０１０８】
この際、前記後板部３２０ｆには、前後貫通孔３２１ｆが前後に貫通されて形成され、前記底板部３３０ｆには、上下貫通孔３３１ｆが上下に貫通されて形成される。
【０１０９】
前記前後貫通孔３２１ｆには、左右調節手段５００ｆの左右調節棒５０２ｆが通過し、前記上下貫通孔３３１ｆには、前後調節手段６００ｆの前後調節棒６０２ｆが通過する。
【０１１０】
なお、左右調節手段５００ｆは、左右調節ハンドル５０１ｆと左右調節棒５０２ｆを含む。下段ブロック２００ｆがメインフレーム３００ｆに結合された状態で、前記左右調節棒５０２ｆは、メインフレーム３００ｆの前後調節孔３２１ｆを通過し、その一部がメインフレーム３００ｆの後板部３２０ｆの外側に突出し、この突出した部分にはねじ山が形成されていて、このねじ山が形成された部分に左右調節ハンドル５０１ｆが挟持される。
【０１１１】
なお、前後調節手段６００ｆは、前後調節ハンドル６０１ｆと前後調節棒６０２ｆを含む。前記前後調節棒６０２ｆは、右側上段フレーム１１２ｆ及び左側上段フレーム１２２ｆの下段に各々固定され、下段フレーム２１２ｆ、２２２ｆの上下貫通孔２１４ｆ、２２４ｆ及びメインフレーム３００ｆの上下貫通孔３３１ｆを順に通過し、その一部が前記メインフレーム３００ｆの底板部３３０ｆの下側に突出する。このように突出した部分には、ねじ山が形成され、このねじ山が形成された部分に前後調節ハンドル６０１ｆが結合される。
【０１１２】
前記メインフレーム３００ｆの側板部３１０ｆの外側には、チルト調節手段８００ｆが付着され、前記チルト調節手段８００ｆの下段の外側には、角度調節手段７００ｆが結合される。
【０１１３】
前記角度調節手段７００ｆは、下段の一部が上下に長く延長し、椅子の固定孔に挿入されることによって、椅子と本実施例による頭部保持具とを結合させる。
【０１１４】
ここで、前記角度調節手段７００ｆ及び前記チルト調節手段８００ｆの構成及び機能は、前記第２実施例と同様なので、これに関する繰り返し的な説明は省略する。
【０１１５】
以下、本実施例による頭部保持具の作動方法を説明する。  
使用者は、椅子に座って頭が上段凹部１３０ｆに保持され、首が下段凹部２３０ｆに保持されるようにする。
【０１１６】
この際、使用者の頭の左右幅が上段凹部１３０ｆの幅に相当しない場合には、前後調節ハンドル５０１ｆを緩め、右側下段フレーム２１２ｆと左側下段フレーム２２２ｆとの間の間隔を調節した後、前後調節ハンドル５０１ｆを締め付けると、前記下段ブロック２００ｆが適正な幅に広げられたまま固定される。
【０１１７】
なお、後頭部の突出程度によって上段ブロック１００ｆを前後に移動したい場合には、前後調節ハンドル６０１ｆを緩め、上段ブロック２００ｆの前後移動を自由にした後、適正な位置で、前記前後調節ハンドル６０１ｆを回し、上段ブロック１００ｆを前記下段ブロック２００ｆの上部に固定させれば良い。
【０１１８】
［第４実施例］  
図１８は、本発明の一実施例による頭部保持具を示す図である。本実施例による頭部保持具は、大きく上段ブロック１００ｃと、前記上段ブロック１００ｃの下部に固定される下段ブロック２００ｃを含む。
【０１１９】
前記上段ブロック１００ｃは、人の後頭部の形状と同じように前方に略半球形の凹状の溝が形成される上段凹部１３０ｃを含み、前記下段ブロック２００ｃは、前方に略半円筒状凹状の溝が形成される下段凹部２３０ｃを含む。
【０１２０】
この際、前記上段凹部１３０ｃの左右外側で前記上段ブロック１００ｃの前面は、前記下段ブロック２００ｃの前面より後方に位置するように段差になっている。
【０１２１】
したがって、前記上段ブロック１００ｃの前面と前記下段ブロック２００ｃの前面との間には、段差面２４０ｃが形成され、前記段差面２４０ｃは、後方に行くほど高くなるように傾斜した形状を有する。
【０１２２】
前述のように、前記上段ブロック１００ｃと前記下段ブロック２００ｃの前面を段差で形成することは、使用者の首が下段凹部２３０ｃに支持され、首が折れ曲がる現象がある程度充分に防止されるので、頭が保持される上段凹部１３０ｃの左右外側を少し切削し、耳を自由にするためのことであり、人ごとに各々異なる頭の左右長さに制限されることなく使用することができるようにするものである。
【０１２３】
前記上段ブロック１００ｃと前記下段ブロック２００ｃは、一体に形成することができる。
【０１２４】
なお、上記のような上段ブロック１００ｃ及び下段ブロック３００ｃは、メインフレーム３００ｃの上部に搭載される。メインフレーム３００ｃは、左右２つの側板３１０ｃと、前記側板３１０ｃの後段に結合される後板３２０ｃと、前記側板及び前記後板の下段に結合される底板３３０ｃとを含み、前記底板は、左右両側板の下段から内側に所定長さだけ延長し、前記後板から前方に所定長さだけ延長し、全体として略コの字形状を有する。
【０１２５】
現在自動車のヘッドレストは、金属類でフレームを作り、その外部に薄いスポンジを重ね当てた後、外皮を覆い、椅子本体と結合して使用しているが、本実施例は、図１８のように、頭部保持具を首と頭を楽に支持することができる凹面形状をラテックスとメモリーフォームなどのような柔らかい素材で作り、外皮を覆い、メインフレーム３００ｃに搭載した後に、前記メインフレーム３００ｃと椅子本体を結合する構造となっている。
【０１２６】
椅子本体との結合方法は、図１８のように、メインフレーム３００ｃの両側板にチルト調節手段８００ｃ、角度調節手段７００ｃを設置し、当該ハウジングから長く延長する当該下段を図２４に示されたような、椅子１０ｄの固定孔１４ｄに挿入し、椅子と結合する。
【０１２７】
前記チルト調節手段８００ｃ及び角度調節手段７００ｃは、後述する第５実施例のチルト調節手段８００ｄ及び角度調節手段７００ｄとその構成及び機能が同一なので、前記チルト調節手段８００ｄ及び角度調節手段７００ｄの構成に関する詳しい説明は、第５実施例を参照して後述する。
【０１２８】
前記上段ブロック１００ｃと前記下段ブロック２００ｃは、ラテックスフォーム、メモリーフォーム、ウレタンフォーム、スポンジなどの弾性を有する部材を含んでなることが好ましく、発泡成形方式（Foaming expansion molding system）で製作した後、後加工処理をし、弾性部材の外周面に軟質のポリウレタン樹脂がコーティングされるようにして、水分の浸透を防止し、汚染を防止するようにすることができる。  
しかし、前記上段ブロック（１００ｃ）及び下段ブロック（２００ｃ）に外皮を使用する時には、後加工処理を省略することができる。
［第５実施例］  
図１９は、本実施例による頭部保持具が椅子１０ｄに装着された様子を示す斜視図であり、図２０は、本実施例による頭部保持具を構成する上段ブロック１００ｄと下段ブロック２００ｄを別々に示す図である。
【０１２９】
本実施例による上段ブロック１００ｄは、上段フレーム１２０ｄと、前記上段フレーム１２０ｄの上部に結合される上段緩衝部材１１０ｄを含む。
【０１３０】
前記上段フレーム１２０ｄは、左右２つの側板と、前記側板の後段に結合される後板と、前記側板及び前記後板の下段に結合される底板とを含み、前記底板は、左右両側板の下段から内側に所定長さだけ延長し、前記後板から前方に所定長さだけ延長し、全体として略コの字形状を有する。
【０１３１】
前記上段緩衝部材１１０ｄは、弾性を有する略矩形の部材から前方の一部を略半球形で凹状に除去した形状を有する。前記上段緩衝部材で凹状に除去された部分は、上段凹部１３０ｄを形成し、この上段凹部１３０ｄには、使用者の後頭部が保持されて支持される。
【０１３２】
前記下段ブロック２００ｄは、下段フレーム２２０ｄと、前記下段フレームの上部に結合される下段緩衝部材２１０ｄを含む。
【０１３３】
前記下段フレーム２２０ｄは、左右２つの側板と、前記側板の後段に結合される後板と、前記側板及び前記後板の下段に結合される底板とを含み、前記底板は、左右両側板の下段から内側に所定長さだけ延長し、前記後板から前方に所定長さだけ延長し、全体として略コの字形状を有する。
【０１３４】
前記下段緩衝部材２１０ｄは、直方体の弾性部材から前方上側の一部を斜めに除去し、前方中央の一部を略半円筒形状で除去した形状を有する。
【０１３５】
前記下段緩衝部材２１０ｄから前方上側の一部が斜めに除去されて形成された部分には、段差面２４０ｄが形成され、前方の一部が凹状に除去されて形成された部分には、下段凹部２３０ｄが形成される。
【０１３６】
前記上段緩衝部材１１０ｄ及び前記下段緩衝部材２１０ｄは、ラテックスフォーム、メモリーフォーム、ウレタンフォーム、スポンジなどの弾性を有する部材を含んでなることが好ましく、発泡成形方式（Foaming expansion molding system）で製作した後、後加工処理をし、弾性部材の外周面に軟質のポリウレタン樹脂がコーティングされるようにして、水分の浸透を防止し、汚染を防止することができる。
【０１３７】
前記ポリウレタン外周面には、繊維吸着剤７０％、防水剤２００％、抗菌防臭剤１００％を混合したコーティング液を塗布し、細菌防止と清潔を維持することができる。  
しかし、前記緩衝部材に外皮を使用する時には、後加工処理を省略することができる。
【０１３８】
なお、前記フレーム１１０ｄ、２１０ｄとしては、プラスチック射出物または金属などが使用できる。
【０１３９】
前記上段フレーム１２０ｄ及び下段フレーム２２０ｄは、その外側に付着される上段チルト調節手段９００ｄ、下段チルト調節手段８００ｄ、及び角度調節手段７００ｄを介して椅子の上部に結合される。
【０１４０】
まず、上段チルト調節手段９００ｄ及び下段チルト調節手段８００ｄは、図２１に正面から見た断面図が示されていて、図２２に右側から見た内部構造が示されている。前記２つのチルト調節手段８００ｄ、９００ｄは、現在自動車のヘッドレストに一般的に使用されているものであって、前後方向に力を加えれば、前後方向に所定距離だけ移動し、上下方向に所定距離だけ移動する機能を有する。
【０１４１】
このような機能を有する上段チルト調節手段９００ｄは、ハウジング９０１ｄと前記ハウジング９０１ｄの内側に収容される回動部材９０２ｄ及びバネ９０５ｄを備えてなる。ここで、前記回動部材９０２ｄの上段は、ヒンジ結合部９０３ｄに回動可能に結合され、ヒンジ結合部９０３ｄとハウジング９０１ｄは、前記上段フレーム１２０ｄの側面下部に結合され、その下段は、他のヒンジ結合部９０４ｄと回動可能に結合され、他のヒンジ結合部９０４ｄは、下段フレーム２２０ｄの側面上部に結合される。
【０１４２】
したがって、図１９のように、前記上段チルト調節手段９００ｄと前記下段チルト調節手段８００ｄが上下に整列されている状態では、前記上段チルト調節手段９００ｄの回動部材９０２ｄが図２２の左図のように、斜めに傾斜した状態で配置されるが、前記上段フレーム１２０ｄに後方に力を加えれば、図２２の右図のように、前記回動部材９０２ｄが上下に垂直に整列されるように回転しながら、前記上段フレーム１２０ｄが後方に所定距離だけ、そして上方に所定距離だけ移動する。
【０１４３】
このようなチルト調節手段９００ｄの内部構成及び原理は、前述したように、現在自動車のヘッドレストに一般的に広く使用されているものであって、本実施例では、自動車に一般的に使用されるチルト調節手段の構成及び原理を借用したものなので、その構成及び作動原理に関するさらに詳しい説明は省略する。
【０１４４】
しかし、本実施例で使用するチルト調節手段９００ｄの内部構成は、公知されたものであるが、本実施例によれば、チルト調節手段９００ｄを上段フレームと下段フレームに固定設置して使用し、上段ブロック１００ｄと下段ブロック２００ｄとの間でチルト調節が可能になるようにして、上段フレームの前後調節動作を通じて使用者の後頭部の形状によって最も楽で且つ安定した状態で頭部保持具を調節することができる。チルト調節手段は、既に広く使用される技術であるが、頭部保持具を上段と下段に分離し、頭を調節するのにチルト調節手段を活用した例はまだない。
【０１４５】
なお、前記下段チルト調節手段８００ｄは、前記上段チルト調節手段９００ｄと同様に、ハウジング８０１ｄと、前記ハウジング８０１ｄの内側に収容される回動部材８０２ｄ及びバネ８０５ｄを含む。
【０１４６】
ここで、前記回動部材８０２ｄは、その上段がヒンジ結合部８０３ｄを介して前記下段フレーム２２０ｄの側面下段に結合され、その下段は、角度調節手段７００ｄのハウジングに結合される。したがって、前記下段フレーム２２０ｄを前方から後方側に力を加えれば、前記回動部材８０２ｄが回転しながら、前記下段フレーム２２０ｄが上方に所定距離だけ、そして後方に所定距離だけ移動するので、襟首形状に適するように調節が可能である。
【０１４７】
ここで、前記下段チルト調節手段８００ｄは、現在自動車のヘッドレストに一般的に使用される公知技術を借用したものなので、これに関する詳しい説明は省略する。本実施例で使用するチルト調節手段８００ｄ、９００ｄ自体の構成は公知されたものであるが、本実施例によれば、チルト調節手段８００ｄ、９００ｄを２個使用し、上段ブロック１００ｄと下段ブロック２００ｄとの間でもチルト調節が追加で可能になるようにして、使用者の後頭部の形状によって最も楽で且つ安定した状態に頭部保持具を調節することができる。
【０１４８】
なお、角度調節手段７００ｄは、図２１及び図２３にその構造が示されているが、図２１には、正面から見た断面図が示されていて、図２３の右側には、側面から見た様子が示されていて、図２３の左側には、ハウジングの一部を除去した内部構造が示されている。
【０１４９】
前記角度調節手段７００ｄは、ハウジング７０１ｄと、前記ハウジング７０１ｄの内側に形成された収容部７０２ｄと、前記収容部７０２ｄに収容された鋸歯部７０３ｄと、前記鋸歯部７０３ｄの下部に配置され、スイッチングレバー７０７ｄの操作に連動して回転し、且つ角部が丸められた略三角形のスイッチング部材７０４ｄと、前記スイッチング部材７０４ｄの左右両側に位置する２つのストッパー７０５ｄと、前記ストッパー７０５ｄを前記スイッチング部材７０４ｄの側に加圧するバネ７０６ｄとを含む。
【０１５０】
前記バネ７０６ｄは、一端が前記収容部７０２ｄの壁面に支持され、他端が前記ストッパー７０５ｄに支持され、前記ストッパー７０５ｄを常時前記スイッチング部材７０４ｄの側に加圧する。したがって、前記ストッパー７０５ｄが前記スイッチング部材７０４ｄの角部と接触している時には、前記ストッパー７０５ｄと前記鋸歯部７０３ｄが互いに離隔しているが、前記スイッチング部材７０４ｄが回転することによって、角部ではなく一辺が前記ストッパー７０４ｄと接触する場合には、斜めに配置されていた前記ストッパー７０５ｄが垂直に配置されるので、鋸歯部７０３ｄと接触するようになる。
【０１５１】
このようにいずれか１つのストッパー７０５ｄが前記鋸歯部７０３ｄの鋸歯の間に挟持されれば、前記鋸歯部７０３ｄは、前記ストッパー７０５ｄを前記バネ７０６ｄの側に加圧する方向に回転可能であるが、前記ストッパー７０５ｄを前記スイッチング部材７０４ｄの側に加圧する方向には回転させることができない。
【０１５２】
なお、前記角度調節手段７００ｄのハウジング７０１ｄは、上下に長く延長し、上側の一部は、前記下段チルト調節手段８００ｄのハウジングの外側に結合され、その下段は、図２４に示されたような、椅子１０ｄの固定孔１４ｄに挿入され、椅子と結合される。
【０１５３】
図２４は、頭部保持具が椅子に装着される前の様子を示す図である。図２４で、参照符号１５ｄは、補強部材であって、車両に適用される場合、交通事故時に強い衝撃により頭部保持具が破損されることを防止するように支持する役目をする。
【０１５４】
以下、本実施例による頭部保持具の作動方法を説明する。
【０１５５】
使用者は、図１９に示されたような椅子に着席し、前記下段凹部２３０ｄに首が保持され、上段凹部１３０ｄに頭が保持されるようにする。
【０１５６】
この際、下段凹部２３０ｄによって首が支持され、首が折れ曲がる現象が防止されるので、上段ブロック１００ｄの前面が下段ブロック２００ｄの前面より後方に位置しても、頭の固定及び支持効果が充分に発揮され、使用者の耳部分は、相対的に自由であることができる。
【０１５７】
なお、使用者は、角度調節手段７００ｄ、下段チルト調節手段８００ｄ、及び上段チルト調節手段９００ｄを操作し、頭部保持具を楽な状態に調節することができる。
【０１５８】
まず、下段フレームの両側板に設置された角度調節手段７００ｄの調節レバー７０７ｄを中間位置に操作し、スイッチング部材７０４ｄを中立位置となるようにし、鋸歯部７０３ｄを前後方に回転可能にした後、楽な角度まで下段フレーム２２０ｄを回転させた以後には、両側面の調節レバー７０７ｄを各々異なる方向に操作し、鋸歯部７０３ｄがこれ以上回転しないように固定させる。
【０１５９】
その後、下段チルト調節手段８００ｄを操作し、下段ブロック２００ｄを適当な位置に移動させ、さらに上段チルト調節手段９００ｄを操作し、上段ブロック１００ｄを適当な位置に移す。
【０１６０】
これにより、使用者は、自分の体形及び頭部形状に最も適した状態で上段ブロック１００及び下段ブロック２００を調節し、頭が楽に支持されるようにすることができる。
【０１６１】
［第６実施例］  
図２５は、本発明の第６実施例による頭部保持具が椅子に装着された様子を示す図である。
【０１６２】
本実施例による頭部保持具は、上段ブロック１００ｅと下段ブロック２００ｅを含み、前記下段ブロック２００ｅは、右側下段ブロック２１０ｅと左側下段ブロック２２０ｅを含む。
【０１６３】
前記上段ブロック１００ｅの中央には、人の後頭部の形状と同じように凹状に略半球形の溝が形成された上段凹部１３０ｅが設けられ、前記下段ブロック２００ｅの中央には、略円筒形状の溝が形成された下段凹部２３０ｅが設けられる。前記上段凹部１３０ｅには、使用者の後頭部が保持され、前記下段凹部２３０ｅには、使用者の首が保持固定され、首が折れ曲がる現象が防止される。
【０１６４】
前記上段ブロック１００ｅ、右側下段ブロック２１０ｅ及び左側下段ブロック２２０ｅは、各々フレーム１２０ｅ、２１２ｅ、２２２ｅと、前記フレームに結合される緩衝部材１１０ｅ、２１１ｅ、２２１ｅとを含む。
【０１６５】
図２５及び図２６を参照すれば、上段ブロック１００ｅの上段フレーム１２０ｅは、左右２つの側板と、前記側板の後段に位置する後板と、前記側板及び前記後板の下段に位置する底板とを含み、前記底板は、前記側板から内側に所定長さだけ延長し、前記後板から前方に所定長さだけ延長し、略コの字形状を有する。
【０１６６】
前記上段緩衝部材１１０ｅは、弾性を有する略矩形の部材から前方の一部を略半球形で凹状に除去した形状を有する。前記上段緩衝部材で凹状に除去された部分は、上段凹部１３０ｅを形成し、この上段凹部１３０ｅには、使用者の後頭部が保持されて支持される。
【０１６７】
前記下段ブロック２００ｅの下段フレーム２１２ｅ、２２２ｅは、各々側板と、前記側板の後段に位置する後板と、前記側板及び前記後板の下段に位置する底板とを含む。前記底板は、前記側板から内側に所定長さだけ延長し、前記後板から前方に所定長さだけ延長し、略Ｌ字形状を有する。
【０１６８】
この際、右側下段フレーム２１２ｅの後板には、左側に向かって左右挿入突起２１５ｅが突出し、左側下段フレーム２２２ｅの後板には、前記挿入突起が挿入される挿入溝（図示せず）が右側に向かって開口されて形成される。
【０１６９】
また、前記底板の下部には、各々左右方向に長く延長する左右スライディング突起２１４ｅ、２２４ｅが突出する。
【０１７０】
また、前記側板には、左右調節孔５０３ｅが貫通形成され、前記左右調節孔の内周面には、スクリューギアを形成することができる。
【０１７１】
なお、緩衝部材１１０ｅ、２１１ｅ、２２２ｅは、ラテックスフォーム、メモリーフォーム、ウレタンフォーム、スポンジなどの弾性を有する部材を含んでなることが好ましく、発泡成形方式（Foaming expansion molding system）で製作した後、後加工処理をし、弾性部材の外周面に軟質のポリウレタン樹脂がコーティングされるようにして、水分の浸透を防止し、汚染を防止するようにすることができる。
【０１７２】
前記ポリウレタン外周面には、繊維吸着剤７０％、防水剤２００％、抗菌防臭剤１００％を混合したコーティング液を塗布し、細菌防止と清潔を維持することができる。  
しかし、前記緩衝部材(110e,211e,222e)に外皮を使用する時には、後加工処理を省略することができる。
【０１７３】
なお、前記フレーム１２０ｅ、２１２ｅ、２２２ｅとしては、プラスチック射出物または金属などを使用することができる。
【０１７４】
このような緩衝部材のうち、上部緩衝部材１１０ｅは、上部フレーム１２０ｅの底板上に結合され、下部緩衝部材２１１ｅ、２２１ｅは、下部フレーム２１２ｅ、２２２ｅの底板上に結合される。
【０１７５】
なお、上記のような上段ブロック１００ｅ及び下段ブロック２００ｅは、メインフレーム３００ｅの上部に収容される。
【０１７６】
前記メインフレーム３００ｅは、左右両側に２つの側板と、前記側板の後方に位置する後板と、前記側板部及び後板部の下段に結合される底板部を含み、前記底板には、左右方向に長く２つの左右スライディング溝３０１ｅが形成される。
【０１７７】
前記左右スライディング溝３０１ｅには、前述の前記下部フレーム２１２ｅ、２２２ｅの左右スライディング突起２１４ｅ、２２４ｅが挿入される。
【０１７８】
なお、前記メインフレーム３００ｅの側板には、左右両側に２つの左右通孔３０２ｅが形成され、前記左右通孔３０２ｅには、後述する左右調節手段５００ｅの左右調節棒５０２ｅが挟持される。
【０１７９】
また、前記メインフレーム３００ｅの側板外側には、上段チルト調節手段９００ｅ、下段チルト調節手段８００ｅが結合され、前記下段チルト調節手段８００ｅの側面部には、角度調節手段７００ｅが結合される。
【０１８０】
前記上段チルト調節手段９００ｅは、上段の一部が前記上段フレーム１２０ｅの側板の外側に結合され、下段の一部は、前記メインフレーム３００ｅの側板の外側に結合される。
【０１８１】
前記下段チルト調節手段８００ｅは、上段の一部が前記メインフレーム３００ｅの側板の外側で上段チルト調節手段９００ｅの下側に結合され、下段の一部は、角度調節手段７００ｅに結合される。
【０１８２】
前記角度調節手段７００ｅは、上段の一部が前記下段チルト調節手段８００ｅに結合され、棒形態で延長する下段は、椅子の上部に形成された孔に挿入されて結合される。
【０１８３】
ここで、前記上段チルト調節手段９００ｅ、下段チルト調節手段８００ｅ及び角度調節手段７００ｅの構成及び機能は、前記第５実施例と同一なので、これに関する反復的な説明は省略する。
【０１８４】
なお、前記左右調節手段５００ｅは、左右調節ハンドル５０１ｅと、前記左右調節ハンドル５０１ｅから内側に延長し、外周面にスクリューギアが形成された左右調節棒５０２ｅとを含む。図２６のように、前記左右調節ハンドル５０１ｅから内側に延長する左右調節棒５０２ｅは、前記メインフレーム３００ｅの左右通孔３０２ｅを通過し、前記下段フレーム２１２ｅ、２２２ｅの左右調節孔５０３ｅの内側に挿入通過され、この際、前記左右調節棒５０２ｅの外周面には、スクリューギアが形成されていて、前記下段フレーム２１２ｅ、２２２ｅの左右調節孔５０３ｅの内側にもスクリューギアが形成されているので、前記左右調節ハンドル５０１ｅが回転することによって、左右調節棒５０２ｅの回転によって前記下段フレーム２１２ｅ、２２２ｅが左右側にスライディング可能になる。
【０１８５】
なお、前記下段フレーム２１２ｅ、２２２ｅが左右方向にスライディングする時には、その下段に突出した左右スライディング突起２１４ｅ、２２４ｅが前記メインフレームの底板に形成された左右スライディング溝３０１ｅによってガイドされる。
【０１８６】
以下、上記のような構成を有する頭部保持具の作動過程を説明する。
【０１８７】
使用者は、前記上段凹部１３０ｅに頭が保持され、前記下段凹部２３０ｅに首が保持されるようにして、椅子に座ったまま頭をもたれさせる。この際、角度調節が必要な場合には、前記実施例と同様に、角度調節手段７００ｅを操作し、メインフレーム３００ｅの角度を調節し、チルト調節が必要な場合には、メインフレーム３００ｅ全体が後方に移動し、チルト調節が行われるようにすることができ、上段フレームの前後調節動作のために上段ブロック１００ｅだけをチルト調節しようとする場合には、上段ブロック１００ｅに後方に力を加え、前記上段ブロック１００ｅが上方に所定距離だけ、後方に所定距離だけ移動するようにすることができる。
【０１８８】
また、左右調節ハンドル５０１を回し、右側下段ブロック２１０ｅと左側下段ブロック２２０ｅを左右に広げるか又は狭めるように調節することもできる。
【０１８９】
したがって、使用者は、自分の後頭部の形状や首の長さまたは首の角度などに相当するように頭部保持具を調節し、最も楽な状態で首と頭が支持されるようにすることができる。
【０１９０】
［第７実施例］  
図２７は、本発明の一実施例による調節式頭部保持具を示す斜視図である。
【０１９１】
本実施例による頭部保持具は、上段支持部１００と、前記上段支持部１００の下部に配置される下段支持部２００とを含む。
【０１９２】
前記上段支持部１００の前方には、人の後頭部の形状と同じように凹状に略半球形の溝が形成された上段凹部１３０が設けられ、後方には、左右方向の中央に行くほど前方に向かって深く溝が形成された後方凹部１４０が設けられる。
【０１９３】
したがって、前記上段支持部１００は、上部から見た時、中央が前後方向に薄い厚さを有し、左右両端に行くほど前後方向の厚さが大きくなる形状を有する。
【０１９４】
なお、前記上段支持部１００の左右方向の中央部分には、上段から下方に向かって所定の深さだけ切開された切欠部１５０が形成される。前記切欠部１５０は、前記上段支持部１００を左右方向に中央で所定の深さだけ切断する形状を有する。
【０１９５】
なお、前記上段支持部１００の下部に位置する下段支持部２００は、前方に略円筒形状の溝で形成された下段凹部２３０を含む。前記下段凹部２３０には、使用者の首が保持、固定され、首が折れ曲がる現象が防止される。
【０１９６】
前記下段支持部２００の下段凹部２３０の左右外側の前面は、前記上段支持部１００の前記上段凹部１３０左右外側の前面より前方に位置する。すなわち、前記上段支持部１００の前面が前記下段支持部２００の前面より後退した形状を有する。
【０１９７】
したがって、前記上段支持部１００と前記下段支持部２００は、前面が段差形状を有するようになり、段差面２４０が形成される。前記段差面２４０は、前方から後方に行くほど斜めに上昇するように傾斜するように形成される。
【０１９８】
上記のように、前記上段支持部１００と前記下段支持部２００の前面が段差を有するように形成することは、使用者の首が下段凹部２３０に支持され、首が折れ曲がる現象がある程度充分に防止されるので、頭が保持される上段凹部１３０の左右外側を少し切削し、耳を自由にするためのことである。
【０１９９】
なお、上記のような上段支持部１００及び下段支持部２００は、、ラテックスフォーム、メモリーフォーム、ウレタンフォーム、スポンジなどの弾性を有する部材を含んでなることが好ましましく、発泡成形方式（Foaming expansion molding system）で製作した後、後加工処理をし、弾性部材の外周面に軟質のポリウレタン樹脂がコーティングされるようにして、水分の浸透を防止し、汚染を防止するようにすることができる。
【０２００】
前記ポリウレタン外周面には、繊維吸着剤７０％、防水剤２００％、抗菌防臭剤１００％を混合したコーティング液を塗布し、細菌防止と清潔を維持することができる。
【０２０１】
しかし、前記 頭部保持具に外皮を使用する時には、後加工処理を省略することができる。
【０２０２】
図２８は、上記のような構成を有する頭部保持具が椅子１０に装着される様子を示す図である。椅子１０の背もたれ部分の上部に前記頭部保持具を収容することができる収容部１１を形成し、前記収容部１１に前記頭部保持具を保持、結合させることによって、前記頭部保持具を使用可能な形態で配置させることができるようになる。
【０２０３】
以下、本実施例による頭部保持具の作用を説明する。
【０２０４】
使用者は、椅子に座って前記下段凹部２３０に首を保持させ、前記上段凹部１３０に頭を保持させる。
【０２０５】
これにより、前記下段凹部２３０に保持された首は、自然に支持された状態を維持し、左右または後方に折れ曲がらないようになり、上段凹部１３０に後頭部が保持されることによって、頭が左右に移動しないので、首が折れ曲がる現象を完全に防止することができる。
【０２０６】
この際、使用者の頭部形状がさいづち頭の場合、切欠部１５０が存在するので、前記上段凹部１３０が前後に拡張されることができ、使用者の頭が前記上段凹部１３０に正確に保持され、さらに楽な状態で椅子に座ることができ、首が折れ曲がる現象をも防止することができる。
【０２０７】
［第８実施例］  
図２９〜図３１は、本発明の他の実施例による頭部保持具を説明するための図であり、 図２９、本実施例による頭部保持具が椅子に装着される様子を示す図であり、図３０及び 図３１、本実施例による頭部保持具を上部から見た様子を示す平面図である。
【０２０８】
本実施例を説明するにあたって、前記実施例と同一の構成については、同一の参照符号を使用する。
【０２０９】
本実施例による頭部保持具は、上段支持部１００と、前記上段支持部１００の下部に配置される下段支持部２００とを含む。
【０２１０】
前記上段支持部１００の前方には、人の後頭部の形状と同じように凹状に略半球形の溝が形成された上段凹部１３０が設けられ、後方には、前記上段凹部１３０と対称になる略半球形の溝が形成された後方凹部１４０が設けられる。
【０２１１】
したがって、前記上段支持部１００は、上部から見た時、中央が前後方向に薄い厚さを有し、左右両端に行くほど前後方向の厚さが大きくなる形状を有する。
【０２１２】
なお、前記上段支持部１００の左右方向の中央部分には、上段から下方に向かって所定深さだけ切開された切欠部１５０が形成される。前記切欠部１５０は、前記上段支持部１００を左右方向に中央で所定深さだけ切断する形状を有する。
【０２１３】
なお、前記上段支持部１００の左右方向の中央部分には、上段から下方に向かって所定深さだけ切開された切欠部１５０が形成される。前記切欠部１５０は、前記上段支持部１００を左右方向に中央で所定深さだけ切断する形状を有する。
【０２１４】
なお、前記上段支持部１００の下部に位置する下段支持部２００は、前方に略円筒形状の溝で形成された下段凹部２３０を含む。前記下段凹部２３０には、使用者の首が挿入固定され、首が折れ曲がる現象が防止される。
【０２１５】
前記下段支持部２００の下段凹部２３０左右外側の前面は、前記上段支持部１００の前記上段凹部１３０左右外側の前面より前方に位置する。すなわち、前記上段支持部１００の前面が前記下段支持部２００の前面より後退した形状を有する。
【０２１６】
したがって、前記上段支持部１００と前記下段支持部２００は、前面が段差形状を有するようになり、段差面２４０が形成される。前記段差面２４０は、前方から後方に行くほど斜めに上昇するように傾斜するように形成される。
【０２１７】
上記のように、前記上段支持部１００と前記下段支持部２００の前面が段差を有するように形成することは、使用者の首が下段凹部２３０に支持され、首が折れ曲がる現象がある程度充分に防止されるので、頭が保持される上段凹部１３０の左右外側を少し切削し、耳を自由にするためのことである。
【０２１８】
前記後方凹部１４０には、エアバッグ１６０が配置される。前記エアバッグ１６０は、空気供給手段（図示せず）から空気を供給されて膨脹するか、空気を排出して収縮する構成を有する。
【０２１９】
この際、空気供給手段としては、前記エアバッグ１６０の内部に空気を供給することができる手動のゴムポンプまたは自動ポンプなどいずれの手段を使用してもよい。
【０２２０】
図３０は、エアバッグ１６０が収縮した状態を示し、 図３１、前記エアバッグ１６０が膨脹した状態を示す。エアバッグ１６０が収縮した状態では、人の頭の重さによって切欠部１５０の左右幅が広くなり、後方に押されるので、頭の径が大きいかまたはさいづち頭の使用者が使用するに適した形態を有する。これに対し、エアバッグ１６０が膨脹した状態では、切欠部１５０の左右幅が狭くなり、後方凹部１４０が元々の形態を維持するので、相対的に頭の径が小さいかまたは後頭部が平たい使用者に適した形態を有する。
【０２２１】
なお、前記後方凹部１４０の後方には、隔壁部１７０が位置する。前記隔壁部１７０は、前記上段支持部１００から後方凹部１４０に挿入されたエアバッグが離脱しないように前記後方凹部１４０の後方に別途の硬い板を重ね当てて結合させた部材であってもよい。
【０２２２】
なお、上記のような上段支持部１００及び下段支持部２００は、ラテックスフォーム、メモリーフォーム、ウレタンフォーム、スポンジなどの弾性を有する部材を含んでなることが好ましく、発泡成形方式（Foaming expansion molding system）で製作した後、後加工処理をし、弾性部材の外周面に軟質のポリウレタン樹脂がコーティングされるようにして、水分の浸透を防止し、汚染を防止するようにすることができる。
【０２２３】
前記ポリウレタン外周面には、繊維吸着剤７０％、防水剤２００％、抗菌防臭剤１００％を混合したコーティング液を塗布し、細菌防止と清潔を維持することができる。
【０２２４】
しかし、前記頭部保持具に外皮を使用する時には、後加工処理を省略することができる。
【０２２５】
以下、本実施例による頭部保持具の作用を説明する。
【０２２６】
使用者は、椅子１０に座って前記下段凹部２３０に首を保持させ、前記上段凹部１３０に頭を保持させる。
【０２２７】
これにより、前記下段凹部２３０に保持された首は、自然に支持された状態を維持し、左右または後方に折れ曲がらないようになり、上段凹部１３０に後頭部が保持されることによって、頭も左右に移動しないので、首が折れ曲がる現象を完全に防止することができる。
【０２２８】
この際、使用者の頭の径が大きいかまたはさいづち頭の場合には、エアバッグ１６０内部の空気を抜いて、切欠部１５０の左右幅を広げ、後方に押されるようにして、上段凹部１３０の面積を広げることによって、使用者の頭が上段凹部１３０に正確に保持され、楽な状態を維持することができる。
【０２２９】
なお、使用者の頭の径が小さいかまたは後頭部が平たい場合には、エアバッグ１６０内部に空気を満たし、切欠部１５０の左右幅を狭め、後方凹部１４０と上段凹部１３０の形態を元のように維持することによって、使用者の頭が前記上段凹部１３０に正確に保持されるようにする。
【０２３０】
したがって、使用者は、さらに楽な状態で椅子に座ることができるので、首が折れ曲がる現象を防止することができる。
【０２３１】
なお、エアバッグ１６０を設置した本実施例では、頭部保持具の後方凹部１４０の後方に隔壁部が設けられたことを例示して説明したが、前記頭部保持具には、後方隔壁部が設けられなくてもよく、椅子１０の収容部１１の前面が隔壁部の役目をすることもできる。
【０２３２】
なお、前記実施例において方向を指示する前方は、頭部保持具に頭が支持される時、使用者の顔が向かう方向を意味する。
【符号の説明】
【０２３３】
１０：椅子、１１：収容部、１２：スイッチ収容スリット、１００：上段ブロック、１１０：右側上段ブロック、１１１：緩衝部材、１１２：上段フレーム、１１３：後板、１１４：側板、１１５：底板、１１６：前後スライディング突起、１２０：左側上段ブロック、１２１：緩衝部材、１２２：左側上段フレーム、１２３：後板、１２４：側板、１２５：底板、１２６：前後スライディング突起、１３０：上段凹部、２００：下段ブロック、２１０：右側下段ブロック、２１１：緩衝部材、２１２：下段フレーム、２１３：後板、２１４：側板、２１５：底板、２１６：前後スライディング溝、２１７：左右スライディング突起、２２０：右側下段ブロック、２２１：緩衝部材、２２２：左側下段フレーム、２２３：後板、２２４：側板、２２５：底板、２２６：前後スライディング溝、２２７：左右スライディング突起、２３０：下段凹部、３００：メインフレーム、３１０：側板部、３２０：後板部、３３０：左右スライディング溝、３４０：左右調節手段収容部、３４１：右側結合孔、３４２：左側結合孔、３５０：前記前後調節手段収容部、３５１：右側通孔、３５２：左側通孔、４００：高さ調節手段、４０１：高さ調節ハンドル、４０２： 高さ調節棒、４０３：高さ調節ラックギア、５００：左右調節手段、５０１：左右調節ハンドル、５０２：左右調節棒、５０３：右側スクリューギア、５０４：左側スクリューギア、５０５：左右調節突出部、６００：前後調節手段、６０１：前後調節ハンドル、６０２：前後調節ピニオンギア、６０３：前後調節ラックギア、６０４：前後調節ハウジング、  １００ａ：上段ブロック、１１０ａ： 右側上段ブロック、１１１ａ：緩衝部材、１１２ａ、上段フレーム、１１３ａ：後板、１１４ａ：側板、１１５ａ：底板、１１６ａ：前後スライディング突起、１１７ａ：締結孔、１１８ａ：上段左右結合突起、１２０ａ：左側上段ブロック、１２１ａ：緩衝部材、１２２ａ：左側上段フレーム、１２３ａ：後板、１２４ａ：側板、１２５ａ：底板、１２６ａ：前後スライディング突起、１２７ａ： 締結孔、１３０ａ：上段凹部、２００ａ：下段ブロック、２１０ａ：右側下段ブロック、２１１ａ：緩衝部材、２１２ａ：右側下段フレーム、２１３ａ：後板、２１４ａ：側板、２１５ａ：底板、２１６ａ：中間板、２１７ａ：前後スライディングスリット、２１８ａ：左右スライディング突起、２１９ａ： 左右結合突起、２２０ａ：左側下段ブロック、２２１ａ：緩衝部材、２２２ａ：左側下段フレーム、２２３ａ：後板、２２４ａ：側板、２２５ａ：底板、２２６ａ：中間板、２２７ａ：前後スライディングスリット、２３０ａ：下段凹部、３００ａ：メインフレーム、３１０ａ：側板部、３１１ａ：前後スライディングスリット、３１２ａ：通孔、３２０ａ：後板部、３３０ａ：底板部、３３１ａ：左右スライディングスリット、５００ａ：左右調節手段、５０１ａ：左右調節ハンドル、５０２ａ：左右調節棒、５０３ａ：左右調節孔、６００ａ：前後調節手段、６０１ａ：前後調節ハンドル、６０２ａ：前後調節ピニオンギア、６０３ａ：前後調節ラックギア、６０４ａ：前後調節ハウジング、６０５ａ：連結ピン、７００ａ：角度調節手段、７０１ａ：ハウジング、７０２ａ：収容部、７０３ａ：鋸歯部、７０４ａ：スイッチング部材、７０５ａ：ストッパー、７０６ａ：バネ、７０７ａ：調節レバー、８００ａ：チルト調節手段、８０１ａ：ハウジング、８０２ａ：回動部材、８０３ａ：ヒンジ結合部、８０４ａ：ヒンジ結合部、８０５ａ：バネ、１００ｆ：上段ブロック、１１０ｆ：右側上段ブロック、１１１ｆ：緩衝部材、１１２ｆ：右側上段フレーム、１１３ｆ：結合突起、１２０ｆ：左側上段ブロック、１２１ｆ：緩衝部材、１２２ｆ：左側上段フレーム、２００ｆ：下段ブロック、２１０ｆ：右側下段ブロック、２１１ｆ：緩衝部材、２１２ｆ：右側下段フレーム、２１３：前後ガイド溝、２１４ｆ：上限貫通孔、２２０ｆ：左側下段ブロック、２２１ｆ：緩衝部材、２２２ｆ：左側下段フレーム、２２３ｆ：前後スライディング溝、２２４ｆ：上限貫通孔、３００ｆ：メインフレーム、３１０ｆ：側板部、３２０ｆ：後板部、３３０ｆ：底板部、３３１ｆ：上限貫通孔、５００ｆ：左右調節手段、５０１ｆ：左右調節ハンドル、５０２ｆ：左右調節棒、６００ｆ：前後調節手段、６０１ｆ：前後調節ハンドル、６０２ｆ：前後調節ピニオンギア、７００ｆ：角度調節手段、８００f：チルト調節手段、１４ｄ：固定孔、１５ｄ：補強部材、１００ｄ：上段ブロック、１１０ｄ：上段緩衝部材、１２０ｄ：上段フレーム、１３０ｄ：上段凹部、２００ｄ：下段ブロック、２１０ｄ：下段緩衝部材、２２０ｄ：下段フレーム、２３０ｄ：下段凹部、２４０ｄ：段差面、７００ｄ：角度調節手段、７０１ｄ：ハウジング、７０４ｄ：スイッチング部材、７０５ｄ：ストッパー、７０６ｄ：バネ、７０７ｄ：調節レバー、８００ｄ：下段チルト調節手段、８０１ｄ：ハウジング、８０２ｄ：回動部材、８０３ｄ：ヒンジ結合部、８０４ｄ：ヒンジ結合部、８０５ｄ：バネ、９００ｄ：上下チルト調節手段、９０１ｄ：ハウジング、９０２ｄ：回動部材、９０３ｄ：ヒンジ結合部、９０４ｄ：ヒンジ結合部、９０５ｄ：バネ、１００ｅ：上段ブロック、１１０ｅ：上段緩衝部材、１２０ｅ：上段フレーム、１３０ｅ：上段凹部、２００ｅ：下段ブロック、２１０ｅ：右側下段ブロック、２１１ｅ：緩衝部材、２１２ｅ：下段フレーム、２１４ｅ：左右スライディング突起、２２０ｅ：左側下段ブロック、２２１ｅ：緩衝部材、２２２ｅ：下段フレーム、２２４ｅ：左右スライディング溝、２３０ｅ：下段凹部、２４０ｅ：段差面、３００ｅ：メインフレーム、３０１ｅ：前記左右スライディング溝、３０２ｅ：左右通孔、５００ｅ：左右調節手段、５０１ｅ：左右調節ハンドル、５０２ｅ：左右調節棒、５０３ｅ：左右調節孔、７００ｅ：角度調節手段、８００ｅ：下段チルト調節手段、９００ｅ：上段チルト調節手段、１０ｂ：椅子、１１ｂ：収容部、１００ｂ：上段支持部、１３０ｂ：上段凹部、１４０ｂ：後方凹部、１５０ｂ：切欠部、１６０ｂ：エアバッグ、１７０ｂ：隔壁部、２００ｂ：下段支持部、２３０ｂ：下段凹部、２４０ｂ：段差面
【図１】
2013503686.tif 000003
【図２】
2013503686.tif 000004
【図３】
2013503686.tif 000005
【図４】
2013503686.tif 000006
【図５】
2013503686.tif 000007
【図６】
2013503686.tif 000008
【図７】
2013503686.tif 000009
【図８】
2013503686.tif 000010
【図９】
2013503686.tif 000011
【図１０】
2013503686.tif 000012
【図１１】
2013503686.tif 000013
【図１２】
2013503686.tif 000014
【図１３】
2013503686.tif 000015
【図１４】
2013503686.tif 000016
【図１５】
2013503686.tif 000017
【図１６】
2013503686.tif 000018
【図１７】
2013503686.tif 000019
【図１８】
2013503686.tif 000020
【図１９】
2013503686.tif 000021
【図２０】
2013503686.tif 000022
【図２１】
2013503686.tif 000023
【図２２】
2013503686.tif 000024
【図２３】
2013503686.tif 000025
【図２４】
2013503686.tif 000026
【図２５】
2013503686.tif 000027
【図２６】
2013503686.tif 000028
【図２７】
2013503686.tif 000029
【図２８】
2013503686.tif 000030
【図２９】
2013503686.tif 000031
【図３０】
2013503686.tif 000032
【図３１】
2013503686.tif 000033
【国際調査報告】
2013503686.tif 000034
2013503686.tif 000035
2013503686.tif 000036
2013503686.tif 000037